(57)【要約】【課題】液体包装用紙容器のトップ部の加熱シールのために使用するトップ部の加熱シール用ヒーターノズル装置のトップヒーターノズル部と、搬送される各々容器本体のトップ部における加熱部位との間において常に安定した相対位置が得られるように、開口するトップ部の開口形状や折り形状とその位置を一定に保持して容器ヘッド部の密封シール安定性を向上させることにある。【解決手段】容器１の開口するトップ部２の内側より内面を加熱する第１トップヒートエアーノズル部11と、外側より外面を加熱する第２トップヒートエアーノズル部12と、該両トップヒートエアーノズル部に一体的に該エアーノズル部の対向間に装填される合掌貼り用の前記貼着板と折込貼着板の各々上端縁を嵌入保持して位置決めする逆Ｖ字状凹部を先端部に備えた複数の位置決めタップ13とをトップ部２の上方に昇降動作可能に設けた。【選択図】図３
2007197071.tif 000002
【特許請求の範囲】
【請求項１】
液体包装用紙容器の開口するトップ部の対向する一対の上面板及び二等辺三角板と、その各々二等辺三角板の二等辺部分の折目を介して連設した各々直角折込板と、対向する前記各々上面板の上端に折目を介して連設した合掌貼り用の貼着板と、対向する各々直角折込板の上端に折目と垂直折目とを介して連設した合掌貼り用の折込貼着板とによりトップ部を封鎖して、前記各々上面板の上端にある合掌貼り用の貼着板によって対向する合掌貼り用の各々折込貼着板を挟み込み、それぞれ前記貼着板と折込貼着板とを押圧しながら重ね合わせ、その重ね合わせ面をトップヒートエアーノズル部にて、その面のシーラント樹脂層を加熱することにより溶融しヒートシールして、トップ部を密封閉鎖する液体包装用紙容器トップ部の加熱シール用ヒートエアーノズル装置において、容器の開口するトップ部の内側より合掌貼り用の貼着板と各々折込貼着板のそれぞれ内面を加熱する第１トップヒートエアーノズル部と、開口する前記トップ部の外側より各々折込貼着板の外面を加熱する第２トップヒートエアーノズル部と、該両トップヒートエアーノズル部に一体的に該エアーノズル部の対向間に装填される合掌貼り用の前記貼着板と折込貼着板の容器トップ部上端縁を嵌入保持して位置決めする位置決め用先端部を備えた下向きの複数の位置決めタップとを前記トップ部の上方に一体的に昇降動作可能に設けたことを特徴とする液体包装用紙容器トップ部の加熱シール用ヒートエアーノズル装置。
【請求項２】
前記容器トップ部上端縁を嵌入保持して位置決めする下向きの位置決めタップの位置決め用先端部が、容器トップ部上端縁を嵌入保持する下向き凹状部であることを特徴とする請求項１記載の液体包装用紙容器トップ部の加熱シール用ヒートエアーノズル装置。
【請求項３】
前記下向き凹状部が下向きＵの字状又は下向きＶの字状の凹状部であることを特徴とする請求項２記載の液体包装用紙容器トップ部の加熱シール用ヒートエアーノズル装置。
【発明の詳細な説明】
【技術分野】
【０００１】
本発明は、清酒、焼酎、牛乳、清涼飲料等の液体を充填包装する角筒状の液体包装用紙容器の液体充填用開口部であるトップ部をヒートエアーにて加熱して密封シールするための液体包装用紙容器トップ部の加熱シール用ヒートエアーノズル装置に関する。
【背景技術】
【０００２】
図４（ａ）の全体斜視図に示すように、一般的な従来の角筒状の液体包装用紙容器１の液体内容物を充填した後の密封する前の状態は、角筒状の胴部３と、該胴部３を角筒状に貼着する貼着部３ａと、該胴部３の下端部にボトム部４（底部）と、胴部３の上端部に折目ａを介して開口するトップ部２（上部）とを備える。
【０００３】
トップ部２は、図示するように胴部３の上端部に折目ａを介して対向する一対の上面板２ａ、２ａと、二等辺三角板２ｂ、２ｂと、その二等辺部分の折目ｂ、ｂを介して連設したそれぞれ直角折込板２ｃ、２ｃと、対向する前記上面板２ａの上端に折目ｃを介して連設した合掌貼り用の貼着板２ｄ、２ｄと、対向する各々折込板２ｃ、２ｃの上端に折目ｄと垂直折目ｅを介して連設した合掌貼り用の折込貼着板２ｅとにより構成されている。
【０００４】
上記液体包装用紙容器１は、図４（ｂ）の平面図（上面図）に示すように、開口するトップ部２より、液体内容物を充填した後、各々垂直折目ｅ、ｅを介して連設した合掌貼り用の対向して開口する各々折込貼着板２ｅ、２ｅと、折込貼着板２ｅ、２ｅとを矢印方向に内方に折り込む。
【０００５】
そして図４（ｃ）に示すように開口するトップ部２を対向する一対の上面板２ａ、２ａによって封鎖し、その上面板２ａ、２ａの上端にある合掌貼り用の貼着板２ｄ、２ｄによって、対向する各々折込貼着板２ｅ、２ｅ、２ｅ、２ｅを挟み込む。そして、それぞれ貼着板２ｄ、２ｄと、折込貼着板２ｅ、２ｅ、２ｅ、２ｅを矢印方向に押圧しながら重ね合わせ、その重ね合わせ面を、トップヒートエアーノズル部にて、その面のシーラント樹脂層を加熱することにより溶融してヒートシールし、トップ部２をトップシールして密封閉鎖するものである。
【０００６】
トップ部２を加熱して密封シールするためのヒートシール用のトップヒートエアーノズル装置の既存技術としては、図５の側面図、図６の上面図に示すように、容器搬送装置Ａと、該搬送装置Ａにより等間隔に順次搬送される内容物を充填した後のトップ部２を密封シール前のボトム成形された角筒状の液体包装用紙容器１のトップ部２の上方に配置されたトップヒートエアーノズル装置Ｂから構成されたものがある。
【０００７】
容器搬送装置Ａは、容器１の胴部３の各々角部を保持して容器１を矢印方向に搬送するキャリア２１と、該キャリア２１に一体的に接続支持されて、胴部３の対角方向に一対の角部を保持して容器１の位置決めをする可動式の位置決め手段２２と、搬送方向に対して両サイドより容器１を位置規制するための固定チルドガイド２３と、複数の前記キャリア２１を規則的に取付け配置して送行させるエンドレスチェーンなどキャリア送行手段２４と、容器１の底部４を支持する底部ガイド２５とを備えている。
【０００８】
またトップヒートエアーノズル装置Ｂは、搬送装置Ａにより等間隔に順次搬送される容器１の開口するトップ部２の上方に昇降動作可能に配置され、容器１の開口するトップ部２内に装填されて、トップ部２の合掌貼り用の貼着板２ｄ、２ｄ、折込貼着板２ｅ、２ｅ、２ｅ、２ｅの内面などの加熱部位を加熱するエアーシリンダー等のアクチュエータにて
昇降動作する支持フレーム１０に下向きに取り付けられた第１トップヒートエアーノズル部１１と、該支持フレーム１０にトップ部２の外側に第１トップヒートエアーノズル部１１と一体的に配置されて、トップ部２の合掌貼り用の折込貼着板２ｅ、２ｅ、２ｅ、２ｅの外面等の加熱部位を加熱する第２トップヒートエアーノズル部１２とを備えている。
【０００９】
前記第１、第２トップヒートエアーノズル部１１、１２のヒートエアー吹出口の対向間には、開口する前記トップ部の上端部にある合掌貼り用の貼着板２ｄ、２ｄと、折込貼着板２ｅ、２ｅ、２ｅ、２ｅが装填されて、該貼着板２ｄ、２ｄと、折込貼着板２ｅ、２ｅ、２ｅ、２ｅのそれぞれ内面と、折込貼着板２ｅ、２ｅ、２ｅ、２ｅのそれぞれ外面とが加熱され、その面のシーラント樹脂層が溶融して、トップ部２の貼着板２ｄ、２ｄと折込貼着板２ｅ、２ｅ、２ｅ、２ｅが押圧により重ね合わせられ、シーラント樹脂層によって重ね合わせ面が密封シールされるものである。
【００１０】
ヒートシール用の前記トップヒーターノズル装置Ａと、トップシールする対象容器１のトップ部２との位置関係は、搬送されるその容器１の加熱部位（トップ部２）より下方を保持している容器搬送用キャリア、及び搬送方向に対して両サイドより容器１を位置規制するための固定ガイドにより決定される。
【００１１】
第１、第２トップヒーターノズル部１１、１２と、加熱対象容器１（トップ部２）との位置関係は、容器１の加熱部位より下方を保持している容器搬送用のキャリア２１及び容器１の両サイドより位置規制する固定ガイド２３（例えば冷却された固定チルドガイド等）により決定される。
【００１２】
また、固定チルドガイド２３の他に、容器１の胴部３の対角方向に一対の角部を保持して容器１の位置決めをする可動式の位置決め手段２２を有するものもあり、第１、第２トップヒーターノズル部１１、１２と、加熱対象容器１（トップ部２）との位置関係を決定する。
【００１３】
上記のような位置決め方式では、可動式の位置決め手段２２や固定チルドガイド２３等の位置決め手段が、いずれも肝心の加熱部位である容器１のトップ部２より離れた位置を保持して位置決めしているため、トップヒーターノズル部１１、１２と容器１の加熱部位との相対位置の関係が、成り行きになってしまい、また容器１の開口するトップ部２の折り曲げ成形状態や折り癖状態、あるいはトップ部２の剛度等による影響を受け易く、その位置関係が狂いやすいものである。
【００１４】
また、容器１の高さ方向、特にトップ部２より上方には、図４に示すような容器１のトップ部２の折り曲げ成形による形状や折り癖形状の状態による影響、あるいはトップ部２の剛度等の影響による位置関係の狂いを抑制するものや規制するものが存在しないため、トップヒーターノズル部１１、１２と容器１の加熱部位との相対位置の狂いを抑制し難いものであった。
【発明の開示】
【発明が解決しようとする課題】
【００１５】
本発明の課題は、液体包装用紙容器のトップ部の加熱シールのために使用するトップ部の加熱シール用ヒーターノズル装置のトップヒーターノズル部と、搬送される各々容器本体のトップ部における加熱部位との間において、常に、安定した相対位置が得られるように、開口するトップ部の開口形状や折り形状とその位置を一定に保持して、液体包装用紙容器の成形充填機における容器ヘッド部の密封シール安定性を向上させることにある。
【課題を解決するための手段】
【００１６】
本発明の請求項１に係る発明は、液体包装用紙容器の開口するトップ部の対向する一対の上面板及び二等辺三角板と、その各々二等辺三角板の二等辺部分の折目を介して連設した各々直角折込板と、対向する前記各々上面板の上端に折目を介して連設した合掌貼り用の貼着板と、対向する各々直角折込板の上端に折目と垂直折目とを介して連設した合掌貼り用の折込貼着板とによりトップ部を封鎖して、前記各々上面板の上端にある合掌貼り用の貼着板によって対向する合掌貼り用の各々折込貼着板を挟み込み、それぞれ前記貼着板と折込貼着板とを押圧しながら重ね合わせ、その重ね合わせ面をトップヒートエアーノズル部にて、その面のシーラント樹脂層を加熱することにより溶融しヒートシールして、トップ部を密封閉鎖する液体包装用紙容器トップ部の加熱シール用ヒートエアーノズル装置において、容器の開口するトップ部の内側より合掌貼り用の貼着板と各々折込貼着板のそれぞれ内面を加熱する第１トップヒートエアーノズル部と、開口する前記トップ部の外側より各々折込貼着板の外面を加熱する第２トップヒートエアーノズル部と、該両トップヒートエアーノズル部に一体的に該エアーノズル部の対向間に装填される合掌貼り用の前記貼着板と折込貼着板の容器トップ部上端縁を嵌入保持して位置決めする位置決め用先端部を備えた下向きの複数の位置決めタップとを前記トップ部の上方に一体的に昇降動作可能に設けたことを特徴とする液体包装用紙容器トップ部の加熱シール用ヒートエアーノズル装置である。
【００１７】
本発明の請求項２に係る発明は、上記請求項１に係る液体包装用紙容器トップ部の加熱シール用ヒートエアーノズル装置において、前記容器トップ部上端縁を嵌入保持して位置決めする下向きの位置決めタップの位置決め用先端部が、容器トップ部上端縁を嵌入保持する下向き凹状部であることを特徴とする液体包装用紙容器トップ部の加熱シール用ヒートエアーノズル装置である。
【００１８】
本発明の請求項３に係る発明は、上記請求項２に係る液体包装用紙容器トップ部の加熱シール用ヒートエアーノズル装置において、前記下向き凹状部が、下向きＵの字状又は下向きＶの字状の凹状部であることを特徴とする液体包装用紙容器トップ部の加熱シール用ヒートエアーノズル装置である。
【発明の効果】
【００１９】
本発明の液体包装用紙容器トップ部の加熱シール用ヒートエアーノズル装置は、開口する容器トップ部の内側より合掌貼り用の貼着板と各々折込貼着板のそれぞれ内面を加熱する第１トップヒートエアーノズル部と、開口する前記トップ部の外側より各々折込貼着板の外面を加熱する第２トップヒートエアーノズル部と、該両トップヒートエアーノズル部に一体的に、該エアーノズル部の対向間に装填される合掌貼り用の前記貼着板と折込貼着板の各々上端縁を嵌入保持して位置決めする位置決め用先端部を備えた下向きの複数の位置決めタップとを、液体包装用紙容器トップ部の上方に一体的に昇降動作可能に設けたものである。
【００２０】
本発明装置によれば、角筒状胴部とボトム部とを密封成形した液体包装用紙容器を、容器搬送装置にて、その角筒状胴部とボトム部とを保持しながらて搬送し、その容器の開口するトップ部を本発明装置の真下に位置させて一旦停止させて、上記第１トップヒートエアーノズル部と、第２トップヒートエアーノズル部と、該エアーノズル部の対向間に装填される合掌貼り用の前記貼着板と折込貼着板の各々上端縁を嵌入保持して位置決めする位置決め用先端部を備えた下向きの複数の位置決めタップとを、前記容器のトップ部に向かって一体的に下降動作して停止させた際には、該第１、第２エアーノズル部の対向間に、合掌貼り用の前記貼着板と折込貼着板の各々上端縁が装填されるとともに、装填された合掌貼り用の前記貼着板と折込貼着板の各々上端縁が、下降した位置決めタップの位置決め用先端部の下向き凹状部（下向きＵの字状部、下向きＶの字状部等）に嵌入して、位置決めタップの逆Ｖ字部によって、前記開口するトップ部の各々上端縁を定位置に保持するこ
とができる。
【００２１】
そのため、容器搬送装置にて液体包装用紙容器を、その角筒状胴部とボトム部とを保持しながら搬送し、その容器の開口するトップ部を、本発明装置の真下に位置させて一旦停止させ、可動式の位置決め手段や固定チルドガイド等の位置決め手段によって、加熱部位である容器の開口するトップ部２より離れた位置を保持して位置決めした際に、第１、第２トップヒーターノズル部と容器の加熱部位との相対位置の関係が、開口するトップ部の折り曲げ成形状態や折り癖状態、あるいはトップ部の包材の剛度等による影響を受けて成り行きになってしまう現象を回避でき、常に正確な位置関係に制御保持することが可能となる。、開口するトップ部の形状を常に正確に定位置に、一定の開口形状にて保持しながら、第１、第２トップヒートエアーノズル部のヒートエアー吹き出し口とトップ部との間に安定した加熱操作距離を保持しながら、液体包装用紙容器の開口するトップ部に対して正確な安定した温度制御にて加熱を行うことができ、液体包装用紙容器トップ部の加熱密封シールにおいて確実な安定した密封ヒートシールを行うことができるものである。
【発明を実施するための最良の形態】
【００２２】
本発明の液体包装用紙容器トップ部の加熱シール用ヒートエアーノズル装置を以下に図面に基づいて詳細に説明する。
【００２３】
図４（ａ）の全体斜視図に示すように、本発明装置により加熱するための内容物充填後のトップ部を密封シール前の液体包装用紙容器１は、折目ａを介して開口するトップ部２と、トップ部２下端部に折目ａを介して角筒状の胴部３と、該胴部３を角筒状に貼着する貼着部３ａと、該胴部３の下端部にボトム部４（底部）とを備える。
【００２４】
トップ部２は、図示するように胴部３の上端部に折目ａを介して対向する一対の上面板２ａ、２ａと、二等辺三角板２ｂ、２ｂと、その二等辺部分の折目ｂ、ｂを介して連設したそれぞれ直角折込板２ｃ、２ｃと、対向する前記上面板２ａの上端に折目ｃを介して連設した合掌貼り用の貼着板２ｄ、２ｄと、対向する各々折込板２ｃ、２ｃの上端に折目ｄと垂直折目ｅを介して連設した合掌貼り用の折込貼着板２ｅとにより構成されている。
【００２５】
上記液体包装用紙容器１は、図４（ｂ）の平面図（上面図）に示すように、開口するトップ部２より、液体内容物を充填した後、各々垂直折目ｅ、ｅを介して連設した合掌貼り用の対向して開口する各々折込貼着板２ｅ、２ｅと、折込貼着板２ｅ、２ｅとを矢印方向に内方に折り込む。
【００２６】
そして図４（ｃ）に示すように開口するトップ部２を対向する一対の上面板２ａ、２ａによって封鎖し、その上面板２ａ、２ａの上端にある合掌貼り用の貼着板２ｄ、２ｄによって、対向する各々折込貼着板２ｅ、２ｅ、２ｅ、２ｅを挟み込む。そして、それぞれ貼着板２ｄ、２ｄと、折込貼着板２ｅ、２ｅ、２ｅ、２ｅを矢印方向に押圧しながら重ね合わせ、その重ね合わせ面を、トップヒートエアーノズル部にて、その面のシーラント樹脂層を加熱することにより溶融してヒートシールし、トップ部２をトップシールして密封閉鎖するものである。
【００２７】
上記液体包装用紙容器１を、本発明の加熱シール用ヒートエアーノズル装置Ｂの下側まで搬送するための容器搬送装置Ａについて以下に説明する。なお、本発明においては、容器搬送装置Ａは特に下記構造に限定されるものではない。
【００２８】
容器搬送装置Ａは、例えば、図１の側面図及び図２の上面図に示すように、液体包装用紙容器１の角筒状の胴部３の各々角部を保持して容器１を矢印方向に搬送するキャリア２１と、該キャリア２１に一体的に接続支持されて、胴部３の対角方向に一対の角部を保持
して容器１の位置決めをする可動式の位置決め部２２と、搬送方向に対して両サイドより容器１を位置規制するための固定チルドガイドなどの位置決め手段２３と、複数の前記キャリア２１を規則的に取付け配置して送行させるエンドレスチェーンなどキャリア送行手段２４と、容器１の底部４を支持する底部ガイド２５とを備えている。
【００２９】
本発明のトップヒートエアーノズル装置Ｂは、図１の側面図及び図２の上面図に示すように、上記搬送装置Ａにより等間隔に順次搬送される容器１の開口するトップ部２の上方に昇降動作可能に配置されていて、容器１の開口するトップ部２内に装填されて、図４（ａ）に示すトップ部２の合掌貼り用の貼着板２ｄ、２ｄ、折込貼着板２ｅ、２ｅ、２ｅ、２ｅの内面などの加熱部位を加熱するエアーシリンダー等のアクチュエータにて昇降動作する支持フレーム１０に下向きに取り付けられた第１トップヒートエアーノズル部１１と、トップ部２の合掌貼り用の折込貼着板２ｅ、２ｅ、２ｅ、２ｅの外面等の加熱部位を加熱する昇降動作する前記支持フレーム１０に下向きに取付けられた第２トップヒートエアーノズル部１２と、該エアーノズル部１１、１２の対向間に相当する位置に昇降動作する前記支持フレーム１０に下向きに取り付けられた合掌貼り用の前記貼着板２ｄ、２ｄと折込貼着板２ｅ、２ｅ、２ｅ、２ｅのトップ部２の各々上端縁を嵌入保持して位置決めするための位置決め用先端部１３ａ（例えば下向き凹状部、下向きＵの字状部、下向きＶの字状部等）を先端部に備えた複数の位置決めタップ１３とを備えている。
【００３０】
前記トップヒートエアーノズル装置Ｂの第１、第２トップヒートエアーノズル部１１、１２のヒートエアー吹出口の対向間には、開口する前記トップ部の上端部にある合掌貼り用の貼着板２ｄ、２ｄと、折込貼着板２ｅ、２ｅ、２ｅ、２ｅが装填されて、該貼着板２ｄ、２ｄと、折込貼着板２ｅ、２ｅ、２ｅ、２ｅのそれぞれ内面と、折込貼着板２ｅ、２ｅ、２ｅ、２ｅのそれぞれ外面とが加熱され、その面のシーラント樹脂層が溶融して、トップ部２の貼着板２ｄ、２ｄと折込貼着板２ｅ、２ｅ、２ｅ、２ｅが押圧により重ね合わせられ、シーラント樹脂層によって重ね合わせ面が密封シールされるものである。
【００３１】
前記トップヒーターノズル装置Ｂと、トップシールする対象容器１のトップ部２との位置関係は、搬送されるその容器１の加熱部位（トップ部２）より下方を保持している容器搬送用キャリア２１、及び搬送方向に対して両サイドより容器１を位置規制するための固定ガイドなどの位置決め手段２３などにより決定される。
【００３２】
上記第１、第２トップヒーターノズル部１１、１２と、加熱対象容器１（トップ部２）との位置関係は、容器１の加熱部位より下方を保持している容器搬送用のキャリア２１及び容器１の両サイドより位置規制する固定ガイドなどの位置決め手段２３（例えば冷却された固定チルドガイド等）により決定される。
【００３３】
また、固定チルドガイドなどの位置決め手段２３の他に、容器１の胴部３の対角方向に一対の角部を保持して容器１の位置決めをする可動式の位置決め手段２２を有するものもあり、第１、第２トップヒーターノズル部１１、１２と、加熱対象容器１（トップ部２）との位置関係を決定する。
【００３４】
本発明のトップヒートエアーノズル装置Ｂは、図３（ａ）の拡大上面図、図３（ｂ）のＭ−Ｍ側面図、図３（ｃ）のＮ−Ｎ側面図に示すように、容器１の開口するトップ部２の内側より合掌貼り用の貼着板２ｄ、２ｄと各々折込貼着板２ｅ、２ｅ、２ｅ、２ｅのそれぞれ内面を加熱する第１トップヒートエアーノズル部１１と、開口する前記トップ部２の外側より各々折込貼着板２ｅ、２ｅ、２ｅ、２ｅの外面を加熱する第２トップヒートエアーノズル部１２と、該両トップヒートエアーノズル部１１、１２に一体的に該エアーノズル部の対向間に装填される合掌貼り用の前記貼着板と折込貼着板の各々上端縁を嵌入保持して位置決めする位置決め用先端部１３ａ（下向き凹状部、下向きＶの字状部等の凹状部
）を先端部に備えた下向きの複数の位置決めタップ１３とを、前記トップ部の上方に昇降動作する支持フレームに一体的に設けられ、昇降動作可能になっている。なお、１１ａ、１２ａは、それぞれ第１、第２トップヒーターノズル部１１、１２の加熱用ヒートエアー吹き出し口である。
【００３５】
このような構造を備えた本発明の液体包装用紙容器トップ部の加熱シール用ヒートエアーノズル装置は、角筒状胴部３とボトム部４とを密封成形した液体包装用紙容器１を、容器搬送装置Ａにて、その角筒状胴部３とボトム部４とを保持しながらて搬送し、その容器１の開口するトップ部２を、本発明装置Ａの真下に位置させて一旦停止させ、上記第１トップヒートエアーノズル部１１と、第２トップヒートエアーノズル部１２と、位置決め用先端部１３ａを先端部に備えた下向きの複数の位置決めタップ１３とを、前記容器１のトップ部２に向かって一体的に下降動作して所定の高さにて停止させることができる。
【００３６】
その際には、前記第１、第２エアーノズル部１１、１２の対向間には、合掌貼り用の前記貼着板２ｄ、２ｄと、折込貼着板２ｅ、２ｅ、２ｅ、２ｅの各々上端縁が装填され、装填された前記各々上端縁が、下降した位置決めタップ１３の先端部にある位置決め用先端部１３ａ（例えば下向きＵの字状部、下向きＶの字状部等の凹状部）内に嵌入して、該先端部１３ａによって、前記開口するトップ部２の各々上端縁を定位置に保持することができる。
【００３７】
これにより、前記容器１のトップ部２の加熱部位と、前記第１、第２エアーノズル部１１、１２のヒートエアー吹き出し口１１ａ、１２ａとの相対位置の関係が、開口するトップ部２の折り曲げ成形状態や折り癖状態、あるいはトップ部２の包材の剛度等による影響を受けて成り行きになってしまう現象を回避することができ、常に正確な位置関係に制御保持する。
【００３８】
このようにして容器１の開口するトップ部２の形状を常に正確に定位置に一定の開口形状にて保持し、第１、第２トップヒートエアーノズル部１１、１２のヒートエアー吹き出し口１１ａ、１２ａと、容器１のトップ部２との間に安定した加熱操作距離を保持しながら、液体包装用紙容器１の開口するトップ部２の合掌貼り用の前記貼着板２ｄ、２ｄと、折込貼着板２ｅ、２ｅ、２ｅ、２ｅ等の加熱部位に対して加熱を行うものである。
【図面の簡単な説明】
【００３９】
【図１】本発明の液体包装用紙容器トップ部の加熱シール用ヒートエアーノズル装置の全体側面図。
【図２】本発明の液体包装用紙容器トップ部の加熱シール用ヒートエアーノズル装置の全体上面図。
【図３】（ａ）は本発明の液体包装用紙容器トップ部の加熱シール用ヒートエアーノズル装置の拡大上面図、（ｂ）はそのＭ−Ｍ側面図、（ｃ）はそのＮ−Ｎ側面図。
【図４】（ａ）は一般的な液体包装用紙容器及び開口するトップ部を説明する全体斜視図、（ｂ）〜（ｃ）は一般的な液体包装用紙容器のトップ部を密封シールする状態を説明する上面図。
【図５】従来の液体包装用紙容器トップ部の加熱シール用ヒートエアーノズル装置を説明する全体側面図。
【図６】従来の液体包装用紙容器トップ部の加熱シール用ヒートエアーノズル装置を説明する全体上面図。
【符号の説明】
【００４０】
Ａ…液体包装用紙容器の搬送装置
Ｂ…ヒートエアーノズル装置
１…液体包装用紙容器
２…トップ部
２ｄ、２ｄ…合掌貼り貼着板
２ｅ、２ｅ、２ｅ、２ｅ…合掌貼り用折込貼着板
３…角筒状胴部                                                                  ４…底部
ａ、ｂ、ｃ、ｄ、ｅ…折目
１０…昇降動作する支持フレーム
１１…第１トップヒートエアーノズル部
１１ａ…ヒートエアー吹き出し口
１２…第２トップヒートエアーノズル部
１２ａ…ヒートエアー吹き出し口
１３…位置決めタップ
１３ａ…位置決め用先端部
２１…搬送キャリア
２２…容器位置決め用の可動式位置決め部
２３…位置決め手段
２４…キャリア送行手段
２５…容器底部ガイド
【図１】
2007197071.tif 000003
【図２】
2007197071.tif 000004
【図３】
2007197071.tif 000005
【図４】
2007197071.tif 000006
【図５】
2007197071.tif 000007
【図６】
2007197071.tif 000008